(57)【要約】      （修正有）【課題】連結シャフトの端面と平行に背面パネルを取り付けでき、外観及び組立て施工性に優れたパネル組立て体を提供する。【解決手段】本発明のパネル組立て体１は、連結シャフト７と、棚用パネル３と、背面パネル５と、抜け止めボルト５と、パネル支持部材９とを備え、連結シャフト７は、長手方向に沿って設けたフランジ１３、１５、１７を外周に有するとともに雌ネジ孔６０を長手方向端面７ｂに有し、棚用パネル３は連結シャフト７のフランジ１３、１５、１７に嵌合してあるとともに、パネル支持部材９の嵌合部６５を背面パネル側の端部に有し、パネル支持部材９で背面パネル５を支持しており、連結シャフト７の長手方向端面７ｂとこの端面７ｂの雌ネジ孔６０に螺合した抜け止めボルト１１の頭６３とで背面パネル５及びパネル支持部材９を挟んでいる。【選択図】      図１
2004167171.tif 000002
【特許請求の範囲】
【請求項１】
連結シャフトと、棚用パネルと、背面パネルと、抜け止めボルトと、パネル支持部材とを備え、連結シャフトは、長手方向に沿って設けたフランジを外周に有するとともに雌ネジ孔を長手方向端面に有し、棚用パネルは連結シャフトのフランジに嵌合してあるとともに、パネル支持部材の嵌合部を背面パネル側の端部に有し、パネル支持部材で背面パネルを支持しており、連結シャフトの長手方向端面とこの端面の雌ネジ孔に螺合した抜け止めボルトの頭とで背面パネル及びパネル支持部材を挟んでいることを特徴とするパネル組立て体。
【発明の詳細な説明】
【０００１】
【発明の属する技術分野】
本発明は、連結シャフトでパネルを組立てたパネル組立て体に関する。
【０００２】
【従来の技術】
この種の技術として、特許文献１には、連結シャフトの長手方向に沿って突出したフランジを周面に設け、パネル端部に固定した係合部材を、連結シャフトの長手方向端面からフランジ間に挿入し、フランジの先端に設けた突起をパネルに設けた係合溝に嵌合する構成が開示されている。
【０００３】
【特許文献１】
特開２００１−９８６９８号公報
【０００４】
【発明が解決しようとする課題】
しかし、連結シャフトの長手方向端面と平行に背面パネルを取り付けることについて、特許文献１には示唆や記載がなく、連結シャフトの長手方向端面と平行に背面パネルを取り付ける場合には特許文献１は適用できない。
本発明は、連結シャフトの端面と平行に背面パネルを取り付けでき、外観及び組立て施工性に優れたパネル組立て体の提供を目的とする。
【０００５】
【課題を解決するための手段】
請求項１に記載の発明は、連結シャフトと、棚用パネルと、背面パネルと、抜け止めボルトと、パネル支持部材とを備え、連結シャフトは、長手方向に沿って設けたフランジを外周に有するとともに雌ネジ孔を長手方向端面に有し、棚用パネルは連結シャフトのフランジに嵌合してあるとともに、パネル支持部材の嵌合部を背面パネル側の端部に有し、パネル支持部材で背面パネルを支持しており、連結シャフトの長手方向端面とこの端面の雌ネジ孔に螺合した抜け止めボルトの頭とで背面パネル及びパネル支持部材を挟んでいることを特徴とする。
この請求項１に記載の発明では、棚用パネルの背面側端部に嵌合したパネル支持部材で背面パネルを支持し、連結シャフトの背面側端面に形成された雌ネジ孔に抜け止めボルトを螺合して抜け止めボルトの頭部で背面パネル及びパネル支持部材を挟むから、背面パネルを連結シャフトの端面と平行に取り付けできる。
パネルの組立ては、ドライバーを用いてネジ留めする作業が必要ないので、組立て施工性に優れる。また、ネジ留めがないので、外観もよい。
【０００６】
【発明の実施の形態】
以下に、添付図面を参照して本発明の実施の形態を詳細に説明する。図１は図４（ａ）に示すＡ部の分解斜視図であり、図２は図４（ａ）に示すＡ部の横断面図であり、図３はパネル組立て体の連結シャフトとパネルとの取付部分を示し、（ａ）は図４（ａ）に示すＡ部の縦断面図であり、（ｂ）は図１（ａ）に示すＢ部の拡大図であり、図４は本実施の形態にかかるパネル組立て体を示し、（ａ）は正面図であり、（ｂ）は側面図である。
本発明の実施の形態にかかるパネル組立て体１は、間仕切りを兼ねた棚であり、棚用パネル（パネル）３と背面パネル５を、連結シャフト７と、パネル支持部材９と、抜け止めボルト１１で連結して組立てられている。本実施の形態では、棚用パネル３と、連結シャフト５とパネル支持部材９は、それぞれ金属製であり、背面パネル５はガラス製である。
連結シャフト７は、一方側フランジ１３と、中間フランジ１７と、他方側フランジ１５とをこの順序で周方向に間隔をおいて設けてあり、各フランジ１３、１５、１７は連結シャフトの半径方向外方に突出して、且つ連結シャフト７の長手方向に沿って設けられている。
中間フランジ１７は、基端部に肉厚部１９と、先端部に略球状部２１とを備え、基端部と先端部との間の中間部に一方側傾斜部２３と他方側傾斜部２５とを備えている。一方側傾斜部２３及び他方側傾斜部２５は、中間フランジの基端部側よりも先端部側が外方に突出するように傾斜しており、換言すれば、基端部から先端部に向けて両者の間隔を互いに広げるように傾斜している。
一方側フランジ１３と他方側フランジ１５とは、棚用パネル３がこれらのフランジ１３、１５間に嵌合する間隔をあけて、棚用パネル３を外側から挟んで圧接しているとともに、中間フランジ１７は棚用パネル３内に圧入されている。
棚用パネル３は、対向するパネル面３ｃ、３ｄ間に、仕切り部２７が設けられており、仕切り部２７の側端には連結シャフト７の中間フランジ１７と係合する係合部２９が設けられている。
棚用パネル３の係合部２９は、仕切り部２７に設けられた一方側係合部３１と、他方側係合部３３とが対向して設けられており、一方側係合部３１には、中間フランジ１７の一方側傾斜部２３を呑み込む切除部３５が設けられている。他方の係合部３３には、他方側傾斜部２５を呑み込む切除部３７が設けられている。また、一方側係合部３１には、中間フランジ１７の一方側傾斜部２３に圧接する一方側圧接部３９が設けられており、他方側係合部３３には、他方側傾斜部２５に圧接する他方側圧接部４１が設けられている。
一方側係合部３１と他方側係合部３３とが連結されている連結部４３には、略く字形状の切除部４５が設けられており、この切除部４５に中間フランジ１７の略球状部２１が圧接されている。
また、中間フランジ１７の基端部では、中間フランジ１７の肉厚部１９が、一方側係合部３１と他方側係合部３３との間に位置して、一方側係合部３１を一方側フランジ１３に向けて圧接し、他方側係合部３３を他方側フランジ１３に向けて圧接している。更に、中間フランジ１７の基端部側において、棚用パネル３は一方側フランジ１３と他方側フランジ１５とに挟持されている。
尚、棚用パネル３は、前側パネル３ａと後側パネル３ｂとを接続部４９により接続されて構成している（図１参照）。接続部４９は、前側パネル３ａに後側パネルに設けた一方側Ｕ字状溝５１と他方側Ｕ字状溝５３に、それぞれに対応する後側パネルの一方側突条５５と他方側突条を嵌合して連結されており、強固な連結が図られている。
次に、背面パネルの取り付けについて説明する。棚用パネル３の後端にはパネル支持部材９が嵌合されており、このパネル支持部材９が背面パネル５の下端５ａを受けるとともにパネル支持部材９が抜け止めボルト１１により連結シャフト７の後端面７ｂに固定されている。
棚用パネル３の後端３ｅには、パネル支持部材９の嵌合部６５が設けられており、パネル支持部材９にはその片側面に凸部６７が形成されており、パネル支持部材９が棚用パネル３の嵌合部６５に圧入されると、凸部６７が嵌合部６５に設けられた嵌合片６９を乗り越えて配置され、装着後にパネル支持部材９が抜け難くなっている。
パネル支持部材９の長手方向端は連結シャフト７の後端に位置しており、連結シャフト７の後端面７ｂには雌ネジ６０が形成されている。抜け止めボルト１１を雌ネジに螺合して抜け止めボルト１１の頭部６３で背面パネル５及びパネル支持部材９の抜けを防止している。即ち、パネル支持部材９が受けている背面パネル５を抜け止めボルト１１の頭部６３で連結シャフト７の後端面７ｂに挟んでいる。
尚、背面パネル５は、抜け止めボルト１１に挟まれる位置にある角が落とされており、抜け止めボルト１１の頭部６３に係合しやすくなっている。
また、連結シャフト７の後端と抜け止めボルト１１の頭部６３との間には、スペーサ７３が介在されており、抜け止めボルト１１の螺進を制限し、背面パネル５が押し潰さないようになっている。
スペーサ７５には、背面パネル５に当接する当接片７５が設けられており、当接片７５は背面パネルに当接して背面パネル５のがたつきを防止している。
尚、連結シャフト７の前側端に螺合されているのは化粧ボルト８１である。また、図３において、符号８３は床側アジャスタであり、８５は天井アジャスタである。
【０００７】
次に、本実施の形態にかかるパネル組立て体１の組立て及び作用について説明する。パネル組立て体１の組立ては、連結シャフト７の長手方向の一端部から一方側フランジ１３と他方側フランジ１５との間で棚パネル３を長手方向に圧入して、棚パネル３を連結シャフト７に装着する。尚、前側パネル３ａは連結シャフト７の前側端から圧入し、後側パネル３ｂは後側端から圧入し、前側パネル３ａの後側端と後側パネル３ｂの前側端とを接続部４９で嵌合して両者を接続して棚パネル３としている。
棚パネル３を組立てた状態では、連結シャフト７の一方側フランジ１３と他方側フランジ１５とで棚パネル３を挟着すると共に、棚パネル３内では、一方側係合部３１が中間フランジ１７の肉厚部１９と一方側傾斜部２３に圧接し、他方側係合部３３が中間フランジ１７の肉厚部１９と他方側傾斜部２３に圧接し、略く字状切除部３７に中間フランジ１７の略球状部が圧接する。
一方側係合部３１では、中間フランジ１７の一方側傾斜部２３に圧接するので、中間フランジ１７により一方側傾斜部２３では、図３（ｂ）に矢印で示すように、互いに直交するＥ及びＦ方向に圧接力が作用し、く字形状の切除部４５では、Ｅ及びＧ（Ｆと反対の方向）方向に圧接力が作用し、肉厚部１９では一方側係合部３１にＥ方向に圧接力を作用し、一方側フランジからはＨ方向に圧接力を作用する。同様に他方の係合部３３でも、Ｅ、Ｆ、Ｇ、Ｈの四方の力が作用する（図３（ｂ）参照）。このように、棚パネル３は、連結シャフト７との間で多数の点で強い圧接力を受けているから連結シャフトの軸方向のがたつきがなく、軸方向に交差する方向においても互いに反対方向となる力を四方から受けるので、がたつきがなく且つ強固に固定することができる。
次に、棚用パネル３の背面側端部３ｅにパネル支持部材９を嵌合し、このパネル支持部材９で背面パネル５の下端を受ける。そして、連結シャフト７の後端面７ｂに形成された雌ネジ孔６０に抜け止めボルト１１を螺合して、スペーサ７３を介在させて抜け止めボルト１１の頭部６３で背面パネル５及びパネル支持部材１１を挟む。
このように、パネル組立て体１の組立ては、棚パネル３、背面パネル５、パネル支持部材９の圧入、嵌合等と抜け止め防止ボルト１１の螺合によりでき、棚パネル３や背面パネル５等の各所をドライバーを用いたネジ留め作業が必要ないので、組立て施工性に優れる。また、ネジ留めがないので、外観もよい
【０００８】
本発明は、上述した実施の形態に限らず、本発明の要旨を逸脱しない範囲で種々変形可能である。
連結シャフト７に設けた一方側フランジ１３と中間フランジ１７と他方側フランジ１５とは、これら３つを一組として、２組や４組設けるものであってもよく、何組設けるものであってもよい。
棚用パネル３は前側パネル３ａと後側パネル３ｂとを嵌合して構成したが、一枚のパネルであっても良い。
パネル組立て体１は、棚に限らず、サイドボードや間仕切り等であってもよく、その用途は限定されない。
パネル支持部材９に設けた凸部６７は、棚用パネル３の両面側にそれぞれ設けてもよく、または、なくとも良い。
【０００９】
【発明の効果】
この請求項１に記載の発明によれば、棚用パネルの背面側端部に嵌合したパネル支持部材で背面パネルを支持し、連結シャフトの長手方向端面とこの端面の雌ネジ孔に螺合した抜け止めボルトの頭とで背面パネル及びパネル支持部材を挟んでいるから、背面パネルを連結シャフトの端面と平行に取り付けできる。
パネルの組立ては、ドライバーを用いたネジ留め作業が必要ないので、組立て施工性に優れる。また、ネジ留めがないので、外観もよい。
【００１０】
【図面の簡単な説明】
【図１】図４（ａ）に示すＡ部の分解斜視図である。
【図２】図４（ａ）に示すＡ部の横断面図である。
【図３】図４（ａ）に示すＡ部の図であり、（ａ）は縦断面図であり、（ｂ）は図３（ａ）に示すＢ部の拡大図である。
【図４】本実施の形態にかかるパネル組立て体を示し、（ａ）は正面図であり、（ｂ）は側面図である。
【符号の説明】
１    パネル組立て体
３    棚用パネル（パネル）
５    背面パネル
７    連結シャフト
７ｂ  端面
９    パネル支持部材
１１  抜け止めボルト
１３  一方側フランジ（フランジ）
１５  他方側フランジ（フランジ）
１７  中間フランジ（フランジ）
６０  雌ネジ孔
６３  抜け止めボルトの頭部
６５  嵌合部
【図１】
2004167171.tif 000003
【図２】
2004167171.tif 000004
【図３】
2004167171.tif 000005
【図４】
2004167171.tif 000006